(57)【要約】【課題】  光ディスクドライブを提供すること。【解決手段】  スピンドルモータが設置される本体と、本体にローディング／アンローディング可能に設置されるトレイと、トレイに回転自在に設置されてディスクのクランピングホールと結合されてディスクを固定させるものであって、トレイがローディング位置にある時にスピンドルモータによって回転されるディスクホルダーとを含む光ディスクドライブである。本発明による光ディスクドライブによれば、ディスクをディスクホルダーに固定させてスピンドルモータに対するディスクの位置を常に一定にすることによってファッションディスクなど多様な形態とサイズとを有するディスクを安定的にローディングさせうる。また、光ディスクドライブをバーチカルタイプに設置して使用する場合にも多様な形態とディスクとを安定的にローディングさせうる。【選択図】  図３
2004253125.tif 000002
【特許請求の範囲】
【請求項１】
スピンドルモータが設置される本体と、
前記本体にローディング／アンローディング可能に設置されるトレイと、
前記トレイに設置されて前記トレイがローディング位置にある時、前記スピンドルモータによって回転され、ディスクのクランピングホールと結合されて前記ディスクを固定させるディスクホルダーと、を含む光ディスクドライブ。
【請求項２】
前記ディスクホルダーは、前記トレイに回転自在に設置される回転軸の一側に結合され、前記回転軸の他側には第１ギヤが結合され、前記スピンドルモータには前記第１ギヤと連結される第２ギヤが備わることを特徴とする請求項１に記載の光ディスクドライブ。
【請求項３】
前記スピンドルモータは、前記ディスクホルダーに対して昇降自在に設置されることを特徴とする請求項１に記載の光ディスクドライブ。
【請求項４】
前記ディスクホルダーには第１カップラーが結合され、
前記スピンドルモータの回転軸には前記スピンドルモータが上昇されるにつれて前記第１カップラーと雌雄結合される第２カップラーが備わったことを特徴とする請求項３に記載の光ディスクドライブ。
【請求項５】
前記第１カップラーと前記第２カップラーとは、磁性によって相互付着されることを特徴とする請求項４に記載の光ディスクドライブ。
【請求項６】
前記ディスクホルダーは、前記トレイに回転自在に設置される回転軸の一側に結合され、前記回転軸の他側には第１カップラーが結合され、前記スピンドルモータの回転軸には前記スピンドルモータが上昇されるにつれて前記第１カップラーと雌雄結合される第２カップラーが結合されることを特徴とする請求項３に記載の光ディスクドライブ。
【請求項７】
前記第２カップラーは、前記スピンドルモータの回転軸方向に弾性的に遊動自在に設置されることを特徴とする請求項６に記載の光ディスクドライブ。
【請求項８】
前記ディスクホルダーは、磁気力によって前記スピンドルモータと結合回転されることを特徴とする請求項３に記載の光ディスクドライブ。
【請求項９】
前記スピンドルモータの回転軸にはマグネットが結合され、
前記ディスクホルダーは、少なくとも一部が前記マグネットに付着される材料で形成されたことを特徴とする請求項８に記載の光ディスクドライブ。
【請求項１０】
前記ディスクホルダーは、少なくとも一部がマグネットで形成され、
前記スピンドルモータの回転軸には前記マグネットに付着される材質の部材が結合されたことを特徴とする請求項８に記載の光ディスクドライブ。
【請求項１１】
前記ディスクホルダーの側面には内側に没入された結合部が設けられ、
前記トレイには、前記結合部が挿入されるものであって、一側に前記ディスクホルダーが挿入される開口が形成されたガイド部と、前記開口に設けられて前記ディスクホルダーが前記開口を通じて前記ガイド部から離脱されることを防止する弾性変形可能な弾性アームとが備わったことを特徴とする請求項８に記載の光ディスクドライブ。
【請求項１２】
前記ディスクホルダーには前記スピンドルモータの回転軸が挿入されるように没入された挿入溝がさらに備わったことを特徴とする請求項１１に記載の光ディスクドライブ。
【請求項１３】
前記トレイには円形の開口が設けられ、
前記ディスクホルダーは、上下方向に相互結合されて前記開口のエッジに挿入される結合溝を形成する第１及び第２部材を備え、
前記第１部材と前記第１部材とが各々前記トレイの上方及び下方で前記開口を通じて相互結合されることによって、前記ディスクホルダーは、前記トレイに回転自在に設置されることを特徴とする請求項８に記載の光ディスクドライブ。
【請求項１４】
前記第２部材には前記スピンドルモータの回転軸が挿入されるように没入された挿入溝が備わったことを特徴とする請求項１３に記載の光ディスクドライブ。
【請求項１５】
円形の開口が備わったトレイと、
スピンドルモータと、
前記開口に遊動自在に結合され、前記トレイがローディングされた時、前記スピンドルモータと磁気力によって結合されて回転されるディスクホルダーと、を含み、
前記ディスクホルダーは、
第１部材及び第２部材と、
ディスクのクランピングホールに弾力的に結合されて前記ディスクを前記ディスクホルダーに固定させる固定部材と、を含むことを特徴とする光ディスクドライブ。
【請求項１６】
前記第１部材は、外側リングと内側リングとを有するリング状の部材であって、前記内側リングにはその内周側に突出した多数の突出部が備わったことを特徴とする請求項１５に記載の光ディスクドライブ。
【請求項１７】
前記第２部材は、前記内側リングが結合される円筒部と、その直径が前記円筒部より長いウィング部と、を有することを特徴とする請求項１６に記載の光ディスクドライブ。
【請求項１８】
前記円筒部は、その外周から没入された多数の没入部を備え、前記没入部には前記突出部とスナップフィット結合される結合突起が備わったことを特徴とする請求項１７に記載の光ディスクドライブ。
【請求項１９】
前記第２部材の下側には前記スピンドルモータの回転軸が挿入される挿入溝が設けられたことを特徴とする請求項１５に記載の光ディスクドライブ。
【請求項２０】
前記内側リングの外径は、前記開口の直径より若干短く、前記外側リング及びウィング部の外径は前記開口の直径より若干長く、前記外側リングとウィング部間の間隔は、前記開口より若干広いことを特徴とする請求項１７に記載の光ディスクドライブ。
【請求項２１】
前記第１部材と前記第２部材とは各々、前記トレイの上方及び下方から前記開口に挿し込まれて相互結合されることを特徴とする請求項１５に記載の光ディスクドライブ。
【請求項２２】
前記内側リングは、前記円筒部に挿し込まれ、前記突出部と前記結合突起とが相互にスナップ嵌合されて前記第１部材と前記第１部材とが相互結合されることを特徴とする請求項１８に記載の光ディスクドライブ。
【請求項２３】
前記固定部材は、前記第２部材に突出形成されたボスに結合されることを特徴とする請求項１５に記載の光ディスクドライブ。
【請求項２４】
前記第１部材及び前記第２部材のうち少なくとも何れか一つは、前記スピンドルモータと磁気力によって結合されうる物質よりなることを特徴とする請求項１５に記載の光ディスクドライブ。
【請求項２５】
円形の開口が備わったトレイと、
スピンドルモータと、
前記開口に遊動自在に結合され、前記トレイがローディングされた時、前記スピンドルモータと磁気力によって結合されて回転されるディスクホルダーと、を含み、
前記ディスクホルダーは、
相互結合されて前記開口に流動自在に結合されるように結合溝を形成する第１部材及び第２部材と、
ディスクのクランピングホールに弾力的に結合されるフックが設けられた弾性変形可能な多数のアームを備えた固定部材と、を含むことを特徴とする光ディスクドライブ。
【請求項２６】
前記固定部材は、前記第２部材に結合され、前記第１部材は、前記第２部材とスナップ嵌合されることを特徴とする請求項２５に記載の光ディスクドライブ。
【請求項２７】
前記ディスクが前記固定部材に結合される時に、前記アームは、弾力的に内側に変形されることを特徴とする請求項２５に記載の光ディスクドライブ。
【請求項２８】
前記ディスクが前記固定部材に結合されれば、前記アームは、弾力的に初期位置に復帰しつつ前記フックが前記ディスクのクランピングホールのエッジにかかって前記ディスクが前記ディスクホルダーに固定されることを特徴とする請求項２７に記載の光ディスクドライブ。
【発明の詳細な説明】
【技術分野】
【０００１】
本発明は光ディスクドライブに係り、特に、本体に摺動自在に設置されるトレイを備える光ディスクドライブに関する。
【背景技術】
【０００２】
一般的に、光ディスクドライブは、ＣＤ（Ｃｏｍｐａｃｔ Ｄｉｓｃ）、ＤＶＤ（Ｄｉｇｉｔａｌ Ｖｅｒｓａｔｉｌｅ Ｄｉｓｃ）のようなディスク形状の光媒体（以下、ディスクという）に光を照射して情報を記録／再生する装置である。
【０００３】
図１は、従来の光ディスクドライブの一例を示す平面図である。
【０００４】
図１には、メインフレーム１０とデッキ部３０とを含む本体５０と、トレイ２０とが示されている。トレイ２０は、メインフレーム１０に摺動自在に設置される。このためにメインフレーム１０には、トレイ２０の摺動運動をガイドするレール１１が備わる。通常、レール１１は、メインフレーム１０と一体に形成される。また、メインフレーム１０には、トレイ２０を摺動させるための動力を提供するローディングモータ１３及びローディングモータ１３によって駆動されるピニオンギヤ１４が備わっている。トレイ２０の下面には、ピニオンギヤ１４と連結されるラックギヤ２２が備わっている。
【０００５】
デッキ部３０は、ディスク９０を回転させるスピンドルモータ３１と、ディスク９０の半径方向に摺動しつつディスク９０にアクセスする光ピックアップ部３２とを含む。デッキ部３０は、メインフレーム１０に設置され、ローディングモータ１３と動力連結されたカム（図示せず）の作用によってトレイ２０がローディングされる時にはディスク９０の下面に向かって上昇し、アンローディング時には下降する。
【０００６】
ディスク９０をローディングさせる時には、まず、ディスク９０をトレイ２０の搭載面２１に搭載し、ローディングモータ１３を回転させる。これにより、ピニオンギヤ１４が回転し、この回転力はラックギヤ２２に伝えられてトレイ２０が摺動し始める。トレイ２０がある程度ローディングされれば、デッキ部３０が上昇し、ディスク９０がスピンドルモータ３１の回転軸に設けられたターンテーブル３４に載置されれば、ローディングが完了する。ローディングが完了すれば、スピンドルモータ３１が回転されるにつれてディスク９０も回転され、光ピックアップ３２は、ディスク９０の半径方向に摺動されつつウィンドウ２５を通じてディスク９０にアクセスして情報を記録及び／または再生する。ディスク９０をアンローディングさせる過程は、前述したローディング過程の逆順である。
【０００７】
トレイ２０には搭載面２１が備わる。搭載面２１は、ディスク９０が搭載される所であって、トレイ２０の上面２４から下方に若干段差があるように形成され、その直径Ｄ１はディスク９０の直径より若干長く形成される。搭載面２１は、トレイ２０がローディングされた時にその中心がスピンドルモータ３１の回転軸と同心になるように形成される。ディスク９０が搭載面２１に搭載されれば、ディスク９０の外周は、トレイ２０の上面２４と段差がある搭載面２１の外周によって案内されてその中心が搭載面２１の中心とほぼ一致する。このような構成によれば、トレイ２０がローディングされた時、ディスク９０の中心がスピンドルモータ３１の回転軸とほぼ一致してディスク９０がターンテーブル３４に安定的に載置される。
【０００８】
しかし、最近、ディスク９０の直径が非常に多様になっている。たとえば、ＣＤの場合には、直径が１２０ｍｍである円形ＣＤが一般的であるが、直径が８０ｍｍである円形ＣＤも使われる。この場合、搭載面２１は、直径が１２０ｍｍである円形ＣＤを使用できるように形成し、直径が８０ｍｍの円形ＣＤも使用できるように搭載面２１から再び下方に段差があるように形成された第２搭載面２３をさらに設けうる。しかし、ＣＤの直径は決まったものではないので、図１に示された従来の光ディスクドライブのように段差がある搭載面２１，２３を形成する方式では多様なサイズの円形ＣＤが安定的にターンテーブル３４に載置されるように案内するのが非常に難しい。
【０００９】
最近、円形ディスクだけでなく、ファッションディスクとして名刺形態、花形態、クリスマスツリー形態など多様な形態のディスクが使われる。このようなファッションディスクは、そのサイズと形態とが一定しないので、図１に示された従来の光ディスクドライブのように段差がある搭載面２１，２３を形成する方式では多様な形態のディスクがターンテーブル３４に安定的に載置されるように案内するのが非常に難しい。
【００１０】
また、光ディスクドライブは、図２に示されたようにバーチカルタイプに設置されることもある。コンピュータに装着されるハーフハイトタイプの光ディスクドライブの場合には、最近、コンピュータがスリム化するにつれてバーチカルタイプに設置される場合が多い。この場合には、ディスク９０が図２の矢印表Ａ方向に流動されてターンテーブル３４に載置されない問題が発生する恐れがある。
【００１１】
これを防止するために図２に示されたように、トレイ２０の上面２４から搭載面２１上に延びたフック部２６を形成しうる。しかし、このようなフック部２６もディスク９０のサイズが一定した場合に適用でき、ディスク９０のサイズ及び形態が一定しないファッションディスクの場合には適用し難い。
【発明の開示】
【発明が解決しようとする課題】
【００１２】
本発明は前記問題点を解決するために創出されたものであって、ディスクを固定させる構造をディスクを回転させるスピンドルモータから分離してトレイに設置することによって多様なサイズと形態とを有するディスクを搭載できるように改善された光ディスクドライブを提供することをその目的とする。
【課題を解決するための手段】
【００１３】
前記目的を達成するための本発明の光ディスクドライブは、スピンドルモータが設置される本体と、前記本体にローディング／アンローディング可能に設置されるトレイと、前記トレイに回転自在に設置されて前記トレイがローディング位置にある時、前記スピンドルモータによって回転されるものであって、ディスクのクランピングホールと結合されて前記ディスクを固定させるディスクホルダーと、を含む。
【００１４】
スピンドルモータは、前記本体に固定的に設置されうる。この場合、前記ディスクホルダーは、前記トレイに回転自在に設置される回転軸の一側に結合され、前記回転軸の他側には第１ギヤが結合され、前記スピンドルモータには前記第１ギヤと連結される第２ギヤが備わりうる。
【００１５】
前記スピンドルモータは、前記ディスクホルダーに対して昇降自在に設置されうる。
【００１６】
一実施例として、前記ディスクホルダーには第１カップラーがさらに備わり、前記スピンドルモータの回転軸には前記スピンドルモータが上昇されるにつれて前記第１カップラー部と雌雄結合される第２カップラーが備わりうる。前記第１カップラーと前記第２カップラーとは、磁性によって相互付着されうる。
【００１７】
他の実施例として、前記ディスクホルダーは、前記トレイに回転自在に設置される回転軸の一側に結合され、前記回転軸の他側には第１カップラーが結合され、前記スピンドルモータの回転軸には前記スピンドルモータが上昇されるにつれて前記第１カップラー部と雌雄結合される第２カップラーとが備わりうる。
【００１８】
前記ディスクホルダーは、磁気力によって前記スピンドルモータと結合回転されうる。このために、前記スピンドルモータの回転軸にはマグネットが結合され、前記ディスクホルダーには前記マグネットに付着される部材が備わりうる。また、前記ディスクホルダーにはマグネットが備わり、前記スピンドルモータの回転軸には前記マグネットに付着される部材が結合されることもある。
【００１９】
前記ディスクホルダーを前記トレイに設置する方案の一実施例として、前記ディスクホルダーの側面には内側に没入された結合部が設けられ、前記トレイには、前記結合部が挿入されるものとして一側に前記ディスクホルダーが挿入される開口が形成されたガイド部と、前記開口に設けられ前記ディスクホルダーが前記開口を通じて前記ガイド部から離脱されることを防止する弾性変形可能な弾性アームとが備わりうる。前記ディスクホルダーには前記スピンドルモータの回転軸が挿入されるように没入された挿入溝がさらに備わることが望ましい。
【００２０】
前記ディスクホルダーは、前記トレイに結合する方案の他の実施例として、前記トレイには円形の開口が設けられ、前記ディスクホルダーは、上下方向に相互結合されて前記開口のエッジに挿入される結合溝を形成する第１及び第２部材を備え、前記第１部材と前記第１部材とが各々前記トレイの上方及び下方で前記開口を通じて相互結合されることによって前記ディスクホルダーは前記トレイに回転自在に設置されうる。この場合、前記第２部材には前記スピンドルモータの回転軸が挿入されるように没入された挿入溝が備わることが望ましい。
【００２１】
前記目的を達成するための本発明の光ディスクドライブは、円形の開口が備わったトレイと、スピンドルモータと、前記開口に遊動自在に結合され、前記トレイがローディングされた時、前記スピンドルモータと磁気力によって結合されて回転されるディスクホルダーと、を含み、前記ディスクホルダーは、第１部材及び第２部材と、ディスクのクランピングホールに弾力的に結合されて前記ディスクを前記ディスクホルダーに固定させる固定部材と、を含むことを特徴とする。
【００２２】
前記目的を達成するための本発明の光ディスクドライブは、円形の開口が備わったトレイと、スピンドルモータと、前記開口に遊動自在に結合され、前記トレイがローディングされた時、前記スピンドルモータと磁気力によって結合されて回転されるディスクホルダーと、を含み、前記ディスクホルダーは、相互結合されて前記開口に流動自在に結合されるように結合溝を形成する第１部材及び第２部材と、ディスクのクランピングホールに弾力的に結合されるフックが設けられた弾性変形可能な多数のアームを備えた固定部材と、を含むことを特徴とする。
【発明の効果】
【００２３】
本発明による光ディスクドライブによれば、ディスクをディスクホルダーに固定させてスピンドルモータに対するディスクの位置を常に一定にすることによってファッションディスクなど多様な形態とサイズとを有するディスクを安定的にローディングさせうる。また、光ディスクドライブをバーチカルタイプに設置して使用する場合にも多様な形態とディスクとを安定的にローディングさせうる。
【発明を実施するための最良の形態】
【００２４】
以下、添付した図面を参照しつつ本発明の望ましい実施例を詳細に説明する。
【００２５】
図３は、本発明による光ディスクドライブの一実施例を示す平面図であり、図４は、図３のＢ部を詳細に示す分解斜視図である。また、図５は、図４のＩ−Ｉ´断面図である。
【００２６】
図３ないし図５を参照すれば、本体１００と、トレイ１１０とが示されている。本体１００は、ディスク９０を回転させるスピンドルモータ１３１と、ディスク９０にアクセスして情報を記録及び／または再生する光ピックアップ１３２と、ローディング部１４０と、を含む。スピンドルモータ１３１と光ピックアップ１３２とは、デッキ１３０に組立てられてフレーム１２０に設置される。ローディング部１４０は、フレーム１２０に設置される。
【００２７】
トレイ１１０は、本体１００に摺動自在に設置される。フレーム１２０の両側のエッジ側にはトレイ１１０の摺動をガイドするレール１２１が設けられる。レール１２１は、フレーム１２０の底面からリブ状に突出して形成されうる。レール１２１は、図３に示されたように多数に分割されて形成されることもあり、一つの長いリブ状に形成されることもある。
【００２８】
トレイ１１０には光ピックアップ１３２がディスク９０にアクセスされるように貫通されたウィンドウ１１２が形成される。トレイ１１０の両側のエッジ側にはレール１２１と相互結合される凹状のガイド溝１１３が形成される。トレイ１１０の下面にはピニオン１４２と噛み合う第１ラックギヤ１１４がトレイ１１０の摺動方向に形成される。
【００２９】
トレイ１１０にはディスクホルダー１６０ａが設置される。図４及び図５を参照すれば、ディスクホルダー１６０ａは、ディスク９０が搭載されて固定されるものであって、トレイ１１０がローディング位置にある時にスピンドルモータ１３１によって回転される。ディスクホルダー１６０ａにはディスク９０の中心部に設けられたクランピングホール９１が挿し込まれる結合部１６１とディスク９０を結合部１６１にロッキングさせる固定部１６５とが備わる。
【００３０】
結合部１６１は、クランピングホール９１の直径より若干短い円筒形に形成され、その高さはディスク９０の上面９３と同じであるか、またはそれより若干高いことが望ましい。固定部１６５は、例えば、図４及び図５に示されたように円筒形の結合部１６１を一部分割して形成されるフックアーム１６２とフックアーム１６２の端部にディスク９０の上面９３にかかるように突出形成されたフック１６３とを備えうる。ディスク９０を結合部１６１に挿し込む時、フックアーム１６２が内側に若干変形されつつクランピングホール９１が結合部１６１に挿し込まれ、再びフックアーム１６２が初期位置に復帰されつつフック１６３がクランピングホール９１のエッジにかかる。１６４は、摩擦部材であって、ディスクホルダー１６０ａが回転される時にディスク９０がスリップされないようにする。ディスクホルダー１６０ａの最大直径Ｄ２は、クランピングゾーン９２の直径と同じであるか、またはこれより若干短いことが望ましい。
【００３１】
図４及び図５に示されたように、トレイ１１０には回転軸１１５が回転自在に設置される。回転軸１１５は、トレイ１１０を貫通して両方向に突出して設置されることが望ましい。回転軸１１５の上下端部には各々、ディスクホルダー１６０ａと第１ギヤ１７０とが結合される。
【００３２】
スピンドルモータ１３１の回転軸には第２ギヤ１８０が結合される。第２ギヤ１８０は、トレイ１１０がローディング位置にある時に第１ギヤ１７０と噛み合うように設置される。第２ギヤ１８０と第１ギヤ１７０間に一つ以上の連結ギヤ（図示せず）が設置されることもある。図面に示されていないが、スピンドルモータ１３１は、トレイ１１０がローディングされることによって第１ギヤ１７０方向に摺動されてトレイ１１０のローディングが完了すれば、第２ギヤ１８０及び第１ギヤ１７０と噛み合うように設置されることもある。
【００３３】
光ピックアップ１３２は、デッキ１３０に設けられたガイドシャフト１３３に沿って摺動できるように設置される。トレイ１１０のローディングが完了すれば、光ピックアップ１３２はウィンドウ１１２を通じてディスク９０にアクセスして情報を記録及び／または再生する。
【００３４】
ローディング部１４０は、ローディングモータ１４１とピニオン１４２とを含む。ピニオン１４２は、ローディングモータ１４１によって駆動される。ピニオン１４２は、トレイ１１０をローディング／アンローディングさせるためにトレイ１１０に形成された第１ラックギヤ１１４と噛み合う。
【００３５】
以下、このような構成による作用効果を説明する。
【００３６】
図３に示されたように、トレイ１１０がアンローディングされた状態で、ディスクホルダー１６０ａにディスク９０を搭載する。前述したように、ディスク９０は、多様なサイズと形態とを有し、図１に示された従来の光ディスクドライブのトレイ２０に搭載する場合にターンテーブル３４に安定的に載置されるようにその位置をガイドし難い問題点がある。
【００３７】
また、光ディスクドライブは、図２に示されたようにバーチカルタイプに設置されることもある。特に、コンピュータに装着されるハーフハイトタイプの光ディスクドライブの場合には、最近、コンピュータがスリム化するにつれてバーチカルタイプに設置される場合が多い。この場合には、ディスク９０が図２の矢印表示Ａ方向に流動されてターンテーブル３４に正しく載置されない問題が発生しうる。図２に示されたフック部２６は、ディスク９０のサイズが一定の場合に適用できるものであって、ディスク９０のサイズ及び形態が一定しないファッションディスクの場合には適用し難い。
【００３８】
クランピングホール９１を含むクランピングゾーン９２は、規格としてその寸法が決まっている。ＤＶＤの場合を例として挙げれば、クランピングホール９１は、直径が１５ｍｍ、クランピングゾーン９２はクランピングホール９１の中心から直径３３ｍｍとして規格が決まっている。したがって、クランピングホール９１が挿入される結合部１６１とクランピングホール９１のエッジにかかることによってディスク９０をロッキングさせる固定部１６５とを備えたディスクホルダー１６０をトレイ１１０に設置することによってファッションディスクなどその外形が一定しないディスクであっても常に一定した位置に搭載されうる。また、光ディスクドライブをバーチカルタイプに設置しても図２に示された従来の光ディスクドライブのようにディスク９０がＡ方向に流動される問題が発生しない。
【００３９】
このような構成によってディスクホルダー１６０ａにディスク９０を搭載すれば、ローディングモータ１４１が回転される。これにより、第１ラックギヤ１１４に噛み合ったピニオン１４２が回転されつつトレイ１１０が本体１００にローディングされ始める。トレイ１１０が本体１００に完全にローディングされれば、第１ギヤ１７０と第２ギヤ１８０とが相互噛み合う。したがって、スピンドルモータ１３１が回転されれば、ディスクホルダー１６０ａと共にディスク９０も回転される。
【００４０】
このように、本実施例による光ディスクドライブによれば、トレイ１１０にスピンドルモータ１３１によって回転されるディスクホルダー１６０ａを備えることによって多様なサイズ及び形態を有するディスク９０を搭載してローディングさせうる。また、ディスク９０をディスクホルダー１６０ａに固定させることによって光ディスクドライブをバーチカルタイプとして使用する場合にも安定的にディスク９０をローディングさせうる。
【００４１】
前述した実施例は、スピンドルモータ１３１が本体１００に固定的に設置された光ディスクドライブに関するものである。スピンドルモータ１３１は、ディスクホルダー１６０ａに対して昇降することもある。スピンドルモータ１３１を昇降させるための一実施例として、ローディングモータ１４１を利用する方案を考慮しうる。
【００４２】
図６は、本発明による光ディスクドライブの他の実施例を示す図面である。
【００４３】
図６を参照すれば、スピンドルモータ１３１と光ピックアップ１３２とが設置されたデッキ２３０、ローディングモータ１４１、第３ギヤ１４３、及びカム部材２４０が示されている。第３ギヤ１４３は、ピニオン１４２と一体に形成されうる。トレイ１１０は、本体２００に摺動自在に設置される。フレーム２２０には、トレイ１１０の摺動をガイドするために上下方向に若干離隔されたガイド部材２２１，２２２が設けられる。トレイ１１０には、ガイド部材２２１，２２２間に挿入されるレール１１８が設けられる。
【００４４】
ローディングモータ１４１は、トレイ１１０に設置された第１ラックギヤ１１４と連結されたピニオン１４２を回転させることによってトレイ１１０をローディング／アンローディングさせる。
【００４５】
デッキ２３０は、フレーム２２０に設けられた軸２２３に結合され、前面２３１には二つのシャフト２３２が設置される。カム部材２４０には第３ギヤ１４３と噛み合う第２ラックギヤ２４１と、シャフト２３２が挿しこまれる二つの第１カムトラック２４２が形成されている。カム部材２４０にはボス２４３が設けられ、トレイ１１０の下面にはボス２４３と噛み合う第２カムトラック１１６が設けられる。第２ラックギヤ２４１は、トレイ１１０が摺動される中には第３ギヤ１４３から離隔されている。トレイ１１０がほぼローディング位置に到達される時に第２カムトラック１１６とボス２４３との相互作用によってカム部材２４０が図６のＣ１方向に若干移動されれば、第２ラックギヤ２４１は第３ギヤ１４３と連結される。この時、トレイ１１０は、ほぼローディングが完了し、第１ラックギヤ１１４はピニオン１４２から離隔される。ローディングモータ１４１が回転し続ければ、カム部材２４０がＣ１方向に移動され、第１カムトラック２４２とシャフト２３２との相互作用によってデッキ２３０が上昇される。アンローディングされる時には前述したローディング過程の逆順に動作される。このような構成によって、トレイ１１０がローディングされる時にはカム部材２４０が矢印表示Ｃ１のように移動され、デッキ２３０は上昇し、トレイ１１０がアンローディングされる時にはカム部材２４０が矢印表示Ｃ２のように移動され、デッキ２３０は下降する。
【００４６】
多様な動力連結手段によってスピンドルモータの回転力をディスクホルダーに伝達できる。図７は、動力連結手段のその一実施例を示す分解斜視図であり、図８は、図７のＩＩ−ＩＩ´断面図である。
【００４７】
図７及び図８を参照すれば、ディスクホルダー１６０ｂには第１カップラー２７０が結合され、スピンドルモータ１３１の回転軸１３４には第２カップラー２８０が結合される。トレイ１１０にはディスクホルダー１６０ｂと第１カップラー２７０とが挿入される挿入部１１７が備わる。ディスクホルダー１６０ｂは、結合部１６１と固定部１６５及び摩擦部材１６４を備える。結合部１６１と固定部１６５及び摩擦部材１６４は、図４に示されたディスクホルダー１６０ａと同じであるので、ここで重複説明は省略する。また、ディスクホルダー１６０ｂには第１カップラー２７０と連結される第１連結部１６６が備わる。第１カップラー２７０には第１連結部１６５と結合される第２連結部２７１が備わる。ディスクホルダー１６０ｂと第１カップラー２７０とは各々、トレイ１１０の上方及び下方から挿入部１１７に挿入される。第１連結部１６６と第２連結部２７１とが互いに挿し込まれることによってディスクホルダー１６０ｂは、第１カップラー２７０と結合されたままにトレイ１１０に回転可能に設置される。本実施例では、第１連結部１６６が第２連結部２７１の内側に挿入されるように形成され、これと反対に形成されることも可能である。この場合、第２連結部２７１の外径Ｄ３は、挿入部１１７の外径Ｄ４より若干短いことが望ましい。また、ディスクホルダー１６０ｂと第１カップラー２７０との間隔Ｔ２は、挿入部１１７の周辺のトレイ１１０の厚さＴ１より若干厚いことが望ましい。したがって、ディスクホルダー１６０ｂは、トレイ１１０に設置されて垂直及び水平方向に若干ずつ流動されうる。ディスクホルダー１６０ｂと第１カップラー２７０とを相互結合させる方案は非常に多様であるので、本発明の範囲が図７及び図８に示された実施例に限定されることではない。
【００４８】
トレイ１１０のローディングが完了すれば、スピンドルモータ１３１が上昇するにつれて、図７に示されたように、第１カップラー２７０と第１カップラー２８０とが相互結合される。第２カップラー２８０は、図７に示されたように、凹凸形状を有し、第１カップラー２７０は図面に詳細に示されていないが、第２カップラー２８０の凹凸形状と雌雄結合できる凹凸形状を有する。このような構成によって、スピンドルモータ１３１が回転されれば、ディスクホルダー１６０ｂも回転される。また、第１カップラー２７０と第２カップラー２８０とは、磁性体で形成されるか、または少なくとも一部分が磁性を帯びるように形成されて互いに磁気力によって結合されうる。
【００４９】
このような構成によれば、図３に示された実施例のような効果を得られる。また、トレイ１１０がローディングされた時、ディスクホルダー１６０ｂとスピンドルモータ１３１との相対的な位置が若干はずれる恐れがあるが、この場合に、ディスクホルダー１６０ｂがある程度流動されつつ第１カップラー２７０と第２カップラー２８０とが相互結合され、安定的にディスク９０を回転させうる。さらにまた、第１カップラー２７０と第２カップラー２８０とが相互結合されれば、ディスクホルダー１６０ｂがトレイ１１０と接触せずにスピンドルモータ１３１に完全に載せられるので、光ピックアップ１３２とディスク９０との高さ関係もトレイ１１０の高さによって影響を受けず、単に光ピックアップ１３２とスピンドルモータ１３１との高さだけによって影響を受けるので、さらに安定した記録／再生が可能である。
【００５０】
図９は、動力連結手段の他の実施例を示す分解斜視図である。
【００５１】
図９を参照すれば、トレイ１１０には回転軸１１５が回転可能に設置される。回転軸１１５の一側にはディスクホルダー１６０ｃが結合され、他側には第１カップラー２７０ｃが結合される。ディスクホルダー１６０ｃは、第１連結部１６６ｃが回転軸１１５に結合されるように形成されたことを除いては、図７及び図８に示されたディスクホルダー１６０ｂと同じである。第１カップラー２７０ｃは、第２連結部２７１ｃが回転軸１１５に結合されるように形成されたことを除いては、図７及び図８に示された第１カップラー２７０と同じである。スピンドルモータ１３１の回転軸１３４には第２カップラー２８０が結合される。このような構成による作用効果は、図６ないし図８に示された実施例と同じであるので、ここで重複説明は省略する。
【００５２】
図１０は、動力連結手段の他の実施例を示す分解斜視図である。
【００５３】
第２カップラー２８０ｃは、スピンドルモータ１３１の回転軸１３４方向に弾性的に遊動自在に設置されうる。図１０を参照すれば、スピンドルモータ１３１の回転軸１３４に固定される支持部材２９０と、回転軸１３４に沿って遊動自在に設置される第２カップラー２８０ｃと、支持部材２９０と第２カップラー２８０ｃ間に介在されて第２カップラー２８０ｃを上方に弾性加圧する弾性部材２９５が示されている。支持部材２９０にはフック２９１が設けられる。第２カップラー２８０ｃは、支持部材２９０の内側に挿し込まれ、その外周がフック２９１にかかる。第２カップラー２８０ｃは、支持部材２９０に結合されたままに上下方向に弾性的に流動される。第２カップラー２８０ｃは、スピンドルモータ１３１の回転軸１３４に軸線方向に遊動自在に設置される点を除いては、図７及び図８に示された第２カップラー２８０と同じである。
【００５４】
図９に示された実施例では、トレイ１１０のローディング位置に合せてスピンドルモータ１３１の上昇高さを正確に制御しなければならない。さもなくば、第１カップラー２７０と第２カップラー２８０とが衝突して損傷されうる。しかし、本実施例によれば、このような場合にも第２カップラー２８０ｃが弾性部材２９５によって第１カップラー２７０と弾性的に結合されるので、破損の危険を減らせる。また、第２カップラー２８０ｃが第１カップラー２７０と弾性的に結合されるので、スピンドルモータ１３１の回転力をディスクホルダー１６０ｃに安定的に伝達できる。
【００５５】
磁性を利用する動力連結手段が考慮されうる。図１１は、動力連結手段の他の実施例を示す図面である。図１２は、図１１のＩＩＩ−ＩＩＩ´断面図である。
【００５６】
図１１及び図１２を参照すれば、ディスクホルダー３１０には搭載面３１１が備わり、搭載面３１１には摩擦部材１６４が備わることが望ましい。ディスクホルダー３１０は、ディスク９０のクランピングホール９１と弾性的に結合されてディスク９０を固定させるフック３１２を備える。ディスクホルダー３１０は、下側にスピンドルモータ１３１の回転軸１３４が挿入されるように設けられる挿入溝３１３をさらに備えることが望ましい。また、ディスクホルダー３１０の外周面には凹状の結合溝３１４が設けられる。
【００５７】
本実施例の光ディスクドライブは、スピンドルモータ１３１の回転力が磁気力によりディスクホルダー３１０に伝えられることを特徴とする。１３５は、スピンドルモータ１３１の回転軸１３４に結合されるマグネットであり、３１５は、鉄片のようなマグネット１３５に付着されうる部材である。スピンドルモータ１３１の回転軸１３４は、マグネット１３５より若干突出するように設けられることが望ましい。部材３１５は、ディスクホルダー３１０に結合されうる。また、ディスクホルダー３１０の全体または少なくとも一部がマグネット１３５に付着される材料で形成されることもある。また、３１５は、マグネットであり、１３５は、鉄片のようにマグネット３１５に付着される部材でありうる。また、１３５と３１５ともマグネットでありうる。
【００５８】
トレイ３５０にはガイド部３５１が設けられる。ガイド部３５１は、結合溝３１４と結合されるように凸形状に形成される。ガイド部３５１の直径Ｄ６は、結合溝３１４の内側直径Ｄ７より若干長いことが望ましい。結合溝３１４の幅Ｔ４は、ガイド部３５１の厚さＴ３より若干厚いことが望ましい。ガイド部３５１の一側には開口３５２が設けられる。開口３５２の両側には弾性アーム３５３が設けられる。弾性アーム３５３の間隔Ｄ５は、結合溝３１４の内側直径Ｄ７より若干短いことが望ましい。ディスクホルダー３１０を開口３５２を通じてガイド部３５１に押し込めば、弾性アーム３５３が若干開きつつディスクホルダー３１０はガイド部３５１に挿入される。ディスクホルダー３１０がガイド部３５１に完全に挿し込まれれば、弾性アーム３５３は弾性的に初期位置に復帰しつつディスクホルダー３１０が開口３５２を通じてガイド部３５１から離脱されることを防止する。トレイ３５０は、ディスクホルダー３１０を設置するための構造を除いては、トレイ１１０と同じである。
【００５９】
ディスク９０は、摩擦部材１６４に載置され、フック３１２によってディスクホルダー３１０に固定される。トレイ３５０がローディングされれば、スピンドルモータ１３１は、図６で説明したように、トレイ３５０方向に上昇される。これにより、マグネット１３５と部材３１５間に作用される磁気力によってディスクホルダー３１０がマグネット１３５に付着される。この時、スピンドルモータ１３１の回転軸１３４がディスクホルダー３１０に設けられた挿入溝３１３に挿し込まれつつディスクホルダー３１０はスピンドルモータ１３１と正確に同心になる。前述したように、結合溝３１４の幅Ｔ４は、ガイド部３５１の厚さＴ３より若干厚く、また結合溝３１４の内側直径Ｄ７はガイド部３５１の直径Ｄ６より若干長い。したがって、スピンドルモータ１３１の上昇が終了すれば、ディスクホルダー３１０は、図１２に示されたようにガイド部３５１と干渉されない位置まで上昇される。この状態でスピンドルモータ１３１が回転されれば、ディスクホルダー３１０も共に回転される。このような構成によって、多様な直径を有するディスクはもとより、多様な外形を有するディスクを安定的にローディングさせうる。
【００６０】
図１３は、磁性を利用する動力連結手段の他の実施例を示す分解斜視図である。図１４は、図１３のＩＶ−ＩＶ´断面図である。
【００６１】
図１３及び図１４を参照すれば、円形に貫通された開口３５７が設けられたトレイ３５０と、開口３５７に遊動自在に結合されるディスクホルダー３６０とが示されている。ディスクホルダー３６０は、第１部材３７０と第２部材３８０及びディスク９０のクランピングホール９１と弾性的に結合されてディスク９０を固定させるフック３１２を有する固定部材３９０を備える。第１部材３７０は、外側リング３７１と内側リング３７２とを備えるリング状の部材である。内側リング３７２には内側に突出した３つの突出部３７３が設けられる。第２部材３８０は、内側リング３７２が挿入される円筒部３８１と、円筒部３８１より直径が長いウィング部３８２とを備える。円筒部３８１にはその外周から没入された３つの没入部３８３を備え、没入部３８３には突出部３７３とスナップ嵌合される結合突起３８４が設けられる。第２部材３８０の下側には、スピンドルモータ１３１の回転軸１３４が挿入される挿入溝３１３が設けられることが望ましい。内側リング３７２の外径Ｄ９は、開口３５７の直径Ｄ８より若干短いことが望ましい。外側リング３７１及びウィング部３８２の外径Ｄ１０は、開口３５７の直径Ｄ８より若干長いことが望ましい。外側リング３７１とウィング部３８２との間隔Ｔ６は、開口３５７の厚さＴ５より若干厚いことが望ましい。外側リング３７１及びウィング部３８２は、図１１及び図１２に示された実施例で結合溝３１４のような役割をする。
【００６２】
第１部材３７０と第２部材３８０とを各々トレイ３５０の上方及び下方から開口３５７に挿し込む。内側リング３７２を円筒部３８１に挿し込み、第１部材３７０を図面のＥ方向に回す。これにより、突出部３７３及び結合突起３８４がスナップ嵌合されつつ第１部材３７０と第２部材３８０とが相互結合される。固定部材３９０は、第１部材３７０または第２部材３８０と一体に形成され、第１部材３７０または第２部材３８０に結合されることもある。本実施例では、固定部材３９０が第２部材３８０に突出形成されたボス３８５に結合される。第２部材３８０の下部にはマグネット１３５に付着される部材３１５が結合されうる。また、第１部材３７０及び第２部材３８０のうち少なくとも何れか一つがマグネット１３５に付着される材料で形成されることもあり、この場合、第２部材３８０がマグネット１３５に付着される材料で形成されることが望ましい。
【００６３】
このような構成によって、図１１及び図１２で説明したような作用効果が得られる。
【００６４】
図１５は、ディスクホルダーの他の実施例を示す斜視図であり、図１６は、図１５のＶ−Ｖ´断面図である。
【００６５】
図１５及び図１６を参照すれば、相互結合されて結合溝３１４を形成する第１部材４１０と第２部材４２０とが示されている。４３０は、固定部材である。それ以外の構成要素は、図１１ないし図１４に示された構成要素と同じであるので、同じ参照符号で表示し、重複説明は省略する。固定部材４３０には弾性変形可能な３つのアーム４３１が備わり、各アーム４３１の端部にはディスク９０のクランピングホール９１のエッジにかかるフック４３２が備わる。固定部材４３０が第２部材４２０上に載せられ、その上方から第１部材４１０が無理な挿し込みまたは図１３及び図１４で説明したようなスナップ嵌合方式によって第２部材４２０と結合されることによってディスクホルダー４００が形成される。ディスクホルダー４００は、図１１及び図１２に示されたような方式または図１３及び図１４に示されたような方式によってトレイ３５０に設置されうる。
【００６６】
ディスク９０を固定部材４３０に挿し込む時、アーム４３１は、図１６に点線で表示されたように内側に弾性的に変形される。ディスク９０が摩擦部材１６４に載置されれば、アーム３４１が初期位置に復帰されつつフック４３２がクランピングホール９１のエッジにかかることによってディスク９０はディスクホルダー４００に固定される。
【００６７】
本発明は、前記に説明され、図面に例示されたものによって限定されず、特許請求の範囲内でさらに多くの変形及び変容例が可能である。
【産業上の利用可能性】
【００６８】
本発明は、ディスクを回転させつつ情報を記録及び／または再生する光ディスクドライブに適用される。
【図面の簡単な説明】
【００６９】
【図１】従来の光ディスクドライブの一例を示す平面図である。
【図２】図１に示された従来の光ディスクドライブがバーチカルタイプに設置された形状を示す斜視図である。
【図３】本発明による光ディスクドライブの一実施例を示す平面図である。
【図４】図３のＢ部を詳細に示す分解斜視図である。
【図５】図４のＩ−Ｉ´断面図である。
【図６】本発明による光ディスクドライブの他の実施例を示す分解斜視図である。
【図７】動力連結手段の一例を詳細に示す分解斜視図である。
【図８】図７のＩＩ−ＩＩ´断面図である。
【図９】動力連結手段の他の例を各々示す分解斜視図である。
【図１０】動力連結手段の他の例を各々示す分解斜視図である。
【図１１】磁性を利用した動力連結手段の一例を示す分解斜視図である。
【図１２】図１１のＩＩＩ−ＩＩＩ´断面図である。
【図１３】磁性を利用した動力連結手段の他の例を示す分解斜視図である。
【図１４】図１３のＩＶ−ＩＶ´断面図である。
【図１５】磁性を利用した動力連結手段の他の例を示す分解斜視図である。
【図１６】図１５のＶ−Ｖ´断面図である。
【符号の説明】
【００７０】
９０  ディスク
９１  クランピングホール
９２  クランピングゾーン
１００  本体
１１０  トレイ
１１２  ウィンドウ
１１３  ガイド溝
１１４  第１ラックギヤ
１２０  フレーム
１２１  レール
１３０  デッキ
１３１  スピンドルモータ
１３２  光ピックアップ
１３３  ガイドシャフト
１４０  ローディング部
１４１  ローディングモータ
１４２  ピニオン
１６０ａ  ディスクホルダー
１８０  第２ギヤ
【図１】
2004253125.tif 000003
【図２】
2004253125.tif 000004
【図３】
2004253125.tif 000005
【図４】
2004253125.tif 000006
【図５】
2004253125.tif 000007
【図６】
2004253125.tif 000008
【図７】
2004253125.tif 000009
【図８】
2004253125.tif 000010
【図９】
2004253125.tif 000011
【図１０】
2004253125.tif 000012
【図１１】
2004253125.tif 000013
【図１２】
2004253125.tif 000014
【図１３】
2004253125.tif 000015
【図１４】
2004253125.tif 000016
【図１５】
2004253125.tif 000017
【図１６】
2004253125.tif 000018